(57)【要約】      （修正有）【課題】入浴装置の簡易入浴袋内に貯留したお湯がこぼれないようにし、さらに入浴袋内に大きな圧力がかかることなとの無い浴用カバーを提供する。【解決手段】人があお向け状態で寝ることができる幅があり、全身が納まる適宜に定めた長さを有する合成樹脂やゴム等の遮水材製の底シート材の両側および前後部に連続した立ち壁を形成した下カバー２と、遮水性のある柔軟なシート製で、前記下カバーに対応する幅と肩までが納まる適宜に定めた長さを有する半円筒形、かまぼこ形、多角形等の半筒状立体形とし、複数の挿入孔を所望位置に配置して手が内部に挿入できるようにし、前後端に閉止壁を設けた上カバーと、２つの湾曲状の支持材の両下端をそれぞれ連結材で連結して一体にし、さらに、両支持材の上端部からやや下がった個所の両側にそれぞれ保持材を渡して全一体にした前記上カバーを張支するフレームとよりなることを特徴とする。【選択図】        図１
2008073451.tif 000002
【特許請求の範囲】
【請求項１】
人があお向け状態で寝ることができる幅があり、全身が納まる適宜に定めた長さを有する合成樹脂やゴム等の遮水材製の底シート材の両側および前後部に連続した立ち壁を形成した下カバーと、
遮水性のある柔軟なシート製で、前記下カバーに対応する幅と肩までが納まる適宜に定めた長さを有する半円筒形、かまぼこ形、多角形等の半筒状立体形とし、複数の挿入孔を所望位置に配置して手が内部に挿入できるようにし、前後端に閉止壁を設けた上カバーと、
２つの湾曲状の支持材の両下端をそれぞれ連結材で連結して一体にし、さらに、両支持材の上端部からやや下がった個所の両側にそれぞれ保持材を渡して全一体にした前記上カバーを張支するフレームとよりなり、
下カバー内に２つのフレームを連続して組み立てたこのフレーム上に上カバーを被覆するように張り、この上カバーの下端と下カバーの立ち壁とを接続して全一体に構成することを特徴とする浴用カバー。
【請求項２】
請求項１において、上カバーのこの前閉止壁はその中央の上端もしくは上端付近から下端まで切れ目があり、利用者の首が通り、頭が出るようにし、後閉止壁または側面の任意個所に温風注入用の開口を設けたことを特徴とする浴用カバー。
【請求項３】
請求項１において、下カバーの立て壁に排水管を連結する排出口を設けたことを特徴とする浴用カバー。
【請求項４】
人があお向け状態で寝ることができる幅があり、全身が納まる適宜に定めた長さを有する合成樹脂やゴム等の遮水材製の底シート材の両側および前後部に連続した立ち壁を形成した下カバーと、
遮水性のある柔軟なシート製で、前記下カバーに対応する幅と肩までが納まる適宜に定めた長さを有する半円筒形、かまぼこ形、多角形等の立体形とし、複数の挿入孔を所望位置に配置して手が内部に挿入できるようにし、前後端に閉止壁を設けた上カバーと、２つの湾曲状の支持材の両下端をそれぞれ連結材で連結して一体にし、さらに、両支持材の上端部からやや下がった個所の両側にそれぞれ保持材を渡して全一体にした前記上カバーを張支するフレームとよりなり、下カバー内に組み立てた前記フレーム上に上カバーを被覆するように張り、この上カバーの下端と下カバーの立ち壁とを接続して全一体に構成する浴用カバーと、温風供給装置と、温水シャワー供給装置と、排水槽とよりなることを特徴とする介護用入浴装置。
【発明の詳細な説明】
【技術分野】
【０００１】
本発明は、寝たきり老人や病人等の起き上がることができない寝たきりの人の身体を洗う浴用カバーおよびこれを用いた介護用の入浴装置に関する。
【背景技術】
【０００２】
従来ベッドの上で寝たきりの人の身体を洗う介護用の入浴装置としては、水密製のシートで作成した入浴袋内に身体を入れ、給湯して２個の穴に取り付けた洗身用手袋を使って身体を洗うようにした装置がある（例えば、特許文献１参照。）。
【特許文献１】実開平６−６１２３９号公報
【発明の開示】
【発明が解決しようとする課題】
【０００３】
しかしながら、上述した従来の技術においては、入浴装置の簡易入浴袋内に略一杯に貯留したお湯がこぼれないようにするために、ベッドの上半身側が起きる形式のものでなくてはなくてはならず、平面状態のベッドでは使用することができないという問題がある。
さらに、簡易入浴袋内に湯を略満たして使用するために、入浴袋内に大きな圧力がかかると共にかなりの重量となり、しかも中の水の動きに従って重力が偏り、不安定となって取扱いが非常に困難であるという問題がある。
【０００４】
また、入浴袋と一体の洗身用手袋では所望のところに自由に手がとどかず、しかも、介護人の手は常に手袋を介してしか入浴者に触れることができないという問題がある。
本発明は、上記の問題点を解決するためになされたもので、浴用カバー内でシャワーを用いて介護人が入浴者を洗うことができる手段を提供することを目的とする。
【課題を解決するための手段】
【０００５】
そこで本発明は、人があお向け状態で寝ることができる幅があり、全身が納まる適宜に定めた長さを有する合成樹脂やゴム等の遮水材製の底シート材の両側および前後部に連続した立ち壁を形成した下カバーと、遮水性のある柔軟なシート製で、前記下カバーに対応する幅と肩までが納まる適宜に定めた長さを有する半円筒形、かまぼこ形、多角形等の半筒状立体形とし、複数の挿入孔を所望位置に配置して手が内部に挿入できるようにし、前後端に閉止壁を設けた上カバーと、２つの湾曲状の支持材の両下端をそれぞれ連結材で連結して一体にし、さらに、両支持材の上端部からやや下がった個所の両側にそれぞれ保持材を渡して全一体にした前記上カバーを張支するフレームとよりなり、下カバー内に組み立てた前記フレーム上に上カバーを被覆するように張り、この上カバーの下端と下カバーの立ち壁とを接続して全一体に構成する浴用カバーとすることを特徴とする。
【０００６】
さらに、上記浴用カバーと、温風供給装置と、温水シャワー供給装置と、排水槽とよりなる介護用入浴装置としたことを特徴とする。
【発明の効果】
【０００７】
これにより、シャワーで流しながら身体を洗うことができ、しかも入浴者はベッドや布団の上でも寝ながら入浴が可能となるという効果を有する。
さらに、小型に折り畳んで持ち運びが可能であるために、どこでも入浴させることができるという効果を有する。
【発明を実施するための最良の形態】
【０００８】
以下に、図面を参照して本発明の実施例を説明する。
図１は本発明の実施例を示す説明図、図２は下カバーの説明図、図３は上カバーの説明図、図４はフレームの説明図、図５は各着脱具の係止状態を示す断面説明図、図６は浴用カバーを組み立てた状態の説明図である。
図において、１は浴用カバーであり、下カバー２と上カバー３とより構成されている。前記下カバー２は、合成樹脂やゴム等の遮水性のあるシート製であり、人があお向け状
態で十分に寝ることができる幅があり、全身が納まることができる適宜に定めた長さ（本実施例では１８５ｃｍ程度）を有する長方形の底シート材４の全周囲、つまり両側および前後端に連続した所望の高さ（本実施例では１０ｃｍ程度）の立ち壁５、６、７、８を形成し、その立ち壁５、６、７の内側面の全長もしくは適宜間隔に面ファスナやホック等の着脱具９Ａの片方面が設けてある。  
【０００９】
さらに、この下カバー２の４辺の立ち壁５、６、７、８の下端にそれぞれ排出口１１を設け、排水管１０を取り付ける。なお、各排出口に取り付ける排水管はすべてが同一である必要はなく、長さ、形状および柔軟さ等は適宜に選択されたものを用いればよい。
また、必要に応じて、立ち壁に間隔をあけて肉厚部や棒状部を設けて起立しやすくしてもよい。
【００１０】
前記上カバー３は、好ましくは半透明や透明の合成樹脂の遮水性のあるシート製であり、前記下カバー２に対応する幅があり、その長さは前記下カバー２より短く、人の肩までが納まる程度の適宜に定めた長さ（本実施例では１３０ｃｍ程度）を有する半円筒形、かまぼこ形、多角形等のトンネル状の半筒状立体形であり、その前後端にはそれぞれ閉止壁１２、１３がある。
【００１１】
この前端閉止壁１２はその中央の上端もしくは上端付近から下端まで切れ目１４があり、利用者の首が通り、頭が出るようになっている。
また、後端閉止壁１３または上カバー３の側面の任意個所もしくは下カバー側面には温風注入用の開口１５が形成されている。
さらに、上カバー３の両側部および後部のそれぞれ下部の外側には上記下カバー２の着脱具９Ａに対応する着脱具９Ｂが設けてある。
【００１２】
また、上カバー３には、挿入孔１６が所望個所に設けてあり、その挿入孔１６は上カバーの長手方向に長い長孔であり、長手方向のスリット１７を有する閉止膜１８で閉じてあり介護者の手がそのスリット１７から上カバー３内に挿抜でき、しかもスリット方向に自由に移動できるようになっている。
なお、半透明のシート材を用いた場合には、上部だけ透明のシート材にしておくと作業中に中が見えて作業し易いし、周囲からは中が見えなくて具合がよい。
１９はフレームであり、同形の２つのフレーム１９から構成され、それぞれ鉄、アルミニウムもしくは合成樹脂等の硬質材から成り立っている。
このフレーム１９は、上カバー３の断面と同形の湾曲状（半円筒形、かまぼこ形、多角形等）の２つの支持材２０の両下端をそれぞれ連結材２１で連結して一体にした構造である。さらに、両支持材２０の上端部からやや下がった個所の両側の長手方向にそれぞれ保持材２２を渡し、それぞれの両端を支持材２０に連結して全一体に構成してある。この保持材は補強および前記上カバーを被せたときに、上カバーがたるんで下がるのを防ぐために設けるものであり、必ずしも前記個所である必要はなく、例えば、上端の長手方向に設けてもよいし、その他必要に応じて設ければよい。
なお、本実施例では、フレーム１９の支持材２０を分割できるように中間（上端）で抜き差し可能の構造にすることによって持ち運びに便利にしてある。この抜き差しの構造は、実施例では、図示する如く、一方に突出部２０ａがあり、他方の筒２０ｂに挿入することにより一体にできる構造であるがこのような構造に限るものではなく、分割できる構造であればどのような構造でもよい。
上記フレーム１９はその２つを長手方向に連続させると上カバー３と略同じ長さの長尺体となる。なお、このフレームは３つもしくは４つで構成してもよい。
２３は飛散防止カバーであり、外側下部に面ファスナやホック等の着脱具２４Ａの片方面が着けてあり、この飛散防止カバー２３は、利用者が洗髪する際に水やシャンプーが飛散するのを防ぐために必要に応じて取り付けるものであり、下カバー２の立ち壁５、６、７に着脱具２４Ａに対応する他方の着脱具２４Ｂが設けてある。
【００１３】
以上説明したような上カバー３と下カバー２とより構成される浴用カバー１を使用するには、温風供給装置２５、温水シャワー供給装置２６等が必要である。
これら各装置は現在それぞれ単品として普及している。例えば、温風供給装置は、温度設定が可能なポータブル型の温風発生器や布団乾燥機等があり、温水シャワー供給装置は、容器内に温度設定可能な水中ヒータと水中ポンプを入れ、排水ホースの先端にハンドシャワーを取り付けたポータブル型の温水シャワー装置があり、これら装置をそのままもしくは適宜改良して用いることができる。
【００１４】
図１に温風供給装置２５、温水シャワー供給装置２６および排水槽２７を一体に組み込んだ搬送供給装置２８を示す。なお、これら温風供給装置２５および温水シャワー供給装置２６は、搬送供給装置２８に一体に組み込まれたものでなくてもよく、上記の如く、それぞれを独立したものであるために、それらを別々に配置したり介護人が肩から下げて用いるようにしてもよい。使用する温風供給装置２５および温水シャワー供給装置２６の形式や使用場所等に応じて任意に使用すればよい。排水槽２７は通常のバケツでもよい。
【００１５】
つぎに、上記構成の浴用カバーの使用について説明する。
まず、場所は風呂場、床の上、ベッド上、布団上等を問わない任意の所望設置場所に下カバー２を敷く。
この下カバー２の上に利用者を仰向け状態や横向き状態にして寝る。
つぎに、下カバー２の立ち壁５、６、７、８の内側に沿ってフレーム１９を２つ連続させ、下カバー２の後端と連続させた一方のフレーム１９の後端を合わせて配置する（図４）。
【００１６】
このようにしたフレーム１９に、上カバー３を被せるようにして張り、上カバー３の両側および後部の着脱具９Ｂを下カバー２の着脱具９Ａに合わせて接合して一体にする。
これによって、利用者は、前閉止壁１２の切れ目１４により首が通り、上カバー３から頭が出た状態で納まり、切れ目１４の左右の片がそれぞれ肩を覆う。
以上によって入浴者が納まった浴用カバー１内に水と空気を入れてもが外側と遮断され
た状態になる。そこで、温風供給装置２５のホースを開孔１５に連結し、排水管１０の開口端を排水槽２７に注ぐように後端の排出口１１に接続する。その他の排出口１１には排水パイプを取り付け、その各排水パイプはそれぞれバケツに開口させる。
【００１７】
この状態で、図１に示す如く、温風供給装置２５を稼動させ、介護者は利用者に沿って位置し、温水シャワー供給装置２６のシャワー蛇口を手に持ってそれぞれの挿入孔１６から片手づつ浴用カバー１内に入れ、シャワー蛇口のスイッチによって温水を射出させながら入浴者の身体を洗うことができる。
使用された温水はそれぞれの排水管１０から排水槽２７やそばに置いたバケツ等に排出されるために、温水は下カバー２の立ち壁５、６、７、８を越えてカバー外に流れ出ることはない。
【００１８】
また、浴用カバー１内は温風供給装置２５からの温風によって保温状態を保つことができ、その状態で、介護者は手を挿入する挿入孔１６の長孔に沿って移動して位置を変えることによって、利用者の身体を順次に洗うことができる。
つぎに、洗髪に際しては、飛散防止カバー２３を、下カバー２の立ち壁５、６、７の先部内側の着脱具２４Ｂに着脱具２４Ａを着けることによって取り付ける。これによって洗髪する際に周囲および介護者への洗剤等の飛散を防止することができる。
【００１９】
洗い終わったら、温水シャワー供給装置２６および温風供給装置２５の駆動を止め、下カバー２上に残っている湯を排水管１０およびか排水パイプから順次に排水槽２７およびバケツに流し出し、続いて、着脱具９Ａと上カバー３の着脱具９Ｂの係止を解除することによって上カバー３を外し、続いてフレーム１９を下カバーから外す。
これによって、下カバー２上で利用者の身体を拭くことができ、最後に下カバー２を取り除いて入浴は終了する。
【００２０】
その後、下カバー２、上カバー３を所望の大きさに折り畳み、分けたフレーム１９と共に持ち運びすることができる。
【図面の簡単な説明】
【００２１】
【図１】実施例を示す説明図
【図２】下カバーの説明図
【図３】上カバーの説明図
【図４】フレームの説明図
【図５】各着脱具の係止状態を示す断面説明図
【図６】浴用カバーを組み立てた状態の説明図
【符号の説明】
【００２２】
１  浴用カバー
２  下カバー
３  上カバー
４  底シート材
５、６、７、８立ち壁
９Ａ、９Ｂ  着脱具
１０  排水管
１１  排出口
１２、１３  閉止壁
１４  切れ目
１５  開口
１６  挿入孔
１７  スリット
１８  閉止膜
１９  フレーム
２０  支持材
２１  連結材
２２  保持材
２３  飛散防止カバー
２４Ａ、２４Ｂ  着脱具
２５  温風供給装置
２６  温水シャワー供給装置
２７  排水槽
２８  搬送供給装置
【図１】
2008073451.tif 000003
【図２】
2008073451.tif 000004
【図３】
2008073451.tif 000005
【図４】
2008073451.tif 000006
【図５】
2008073451.tif 000007
【図６】
2008073451.tif 000008